(57)【要約】【課題】  吊式雪崩防止柵の主索ケーブルを係止するアンカーにおいて、雪崩防止柵に偏荷重が加わっても回るように移動することなく安定していて、一基当りの雪崩防止柵に必要なアンカーの本数を減じた、雪崩防止柵を提供する。【解決手段】  傾斜した法面に設置される複数の雪崩防止柵10を主索ケーブル４でアンカー３に連結した雪崩防止柵10において、１本のアンカー３から２本の主索ケーブル４を下端側が離れるようＶの字状に垂れ下げ、その２本の主索ケーブル４の下端を隣り合う雪崩防止柵10各々の内側に連結した。【選択図】図２
0003172245.tif 000002
【実用新案登録請求の範囲】
【請求項１】
傾斜した法面に設置される複数の雪崩防止柵を主索ケーブルでアンカーに連結した雪崩防止柵において、１本のアンカーから２本の主索ケーブルを下端側が離れるようＶの字状に垂れ下げ、その２本の主索ケーブルの下端を隣り合う雪崩防止柵各々の内側に連結した雪崩防止柵。
【考案の詳細な説明】
【技術分野】
【０００１】
本考案は、吊式雪崩防止柵の主索ケーブルを係止するアンカーにおいて、その斜面への積雪が少ない場合に打設されるアンカーの本数を減じた雪崩防止柵に関する。
【背景技術】
【０００２】
降雪地域では、冬季間の降雪時に道路の上方に傾斜した法面に雪崩が発生するのを防止する雪崩防止柵が設置されている。
【０００３】
その吊式の雪崩防止柵としては、実公昭４８−７４６１号公報に示されるように、支柱に横さんが適当間隔をもって取付けられた雪崩防止柵の支柱の下方端面には四方辺が上方にせり上がっている皿が上向きに固定されかつ、この皿の少しく上方位置には支柱の背面方向に向け適当長さのバーが固定され、支柱の上下位置にワイヤの係止金具が取付けられ、ワイヤは雪崩防止柵の設置を所望する傾斜面の上方位置に設けたアンカーに一端を係止しその他端を支柱の係止金具の小孔に係止したものが知られている。
【０００４】
この考案によれば、支柱の下端に皿が設けられているから、配置された柵の上方傾斜面に積雪され、柵に上方から荷重がかかった場合、皿が傾斜面を少しく滑りながら安定する、とされている。
【０００５】
また類似の吊式落石防止柵としては、特公平４−１７２４５号公報に示されるように、柵フレームに金網を張設して柵体を構成し、この柵体を崖の傾斜面にほぼ直角にかつ滑動自在に設置し、この柵体の上下部からそれぞれ支持ワイヤロープを導出し、傾斜面の上部から吊持ワイヤロープを下げ降ろし、この吊持ワイヤロープに支持ワイヤロープを連結して柵体を支持してなるものが知られている。
【０００６】
この発明によれば、支持ワイヤロープおよび吊持ワイヤロープの弾性的な伸びを利用して落石の衝撃を緩和することができ、したがって耐久性の向上を図れ、また柵体を単に支持ワイヤロープおよび吊持ワイヤロープで支持する構成であるから、施工が簡単で、作業的にも経済的にも有利となり、さらに落石や土砂の廃棄を容易に行なえ、しかも必要に応じて撤去や移設も容易に行なうことができる、とされている。
【先行技術文献】
【特許文献】
【０００７】
【特許文献１】実公昭４８−７４６１号公報
【特許文献２】特公平４−１７２４５号公報
【考案の概要】
【考案が解決しようとする課題】
【０００８】
積雪の多い地域では、通常上記の特公平４−１７２４５号公報に示されるように、一基の雪崩防止柵に複数本のワイヤロープと、そのワイヤロープの本数に対応する本数のアンカーを打設している。
【０００９】
積雪は少ない（１ｍ程度）が傾斜の急な斜面でも、やはり雪崩の虞がある。そのため、柵高さの比較的低い柵を設置することが考えられるが、柵への荷重が小さく、打設されるアンカーの本数が過剰となる。
【００１０】
図５に示すのは、比較的柵高さの低い雪崩防止柵20であり、一基の雪崩防止柵20を２本のアンカー21と、各々２本の主索ケーブル22および支持ロープ23で支持しているものである。雪崩防止柵20に偏荷重が加わっても安定しているが、一基の雪崩防止柵20に２本のアンカー21を必要とする。
【００１１】
図６に示すのは、比較的柵高さの低い雪崩防止柵30であり、一基の雪崩防止柵30を１本のアンカー31と、１本の主索ケーブル32およびＶの字状に配置した２本の支持ロープ33で支持しているものである。一基の雪崩防止柵30に１本のアンカー31しか必要としないが、雪崩防止柵30に偏荷重が加わると回るように移動して安定しない。
【００１２】
そこで本考案は、雪崩防止柵に偏荷重が加わっても回るように移動することなく安定していて、一基当りの雪崩防止柵に必要なアンカーの本数を減じた、雪崩防止柵を提供することを目的とする。
【課題を解決するための手段】
【００１３】
請求項１の考案の雪崩防止柵は、傾斜した法面１に設置される複数の雪崩防止柵10を主索ケーブル４でアンカー３に連結した雪崩防止柵10において、１本のアンカー３から２本の主索ケーブル４を下端側が離れるようＶの字状に垂れ下げ、その２本の主索ケーブル４の下端を隣り合う雪崩防止柵10各々の内側に連結したものである。
【考案の効果】
【００１４】
請求項１の考案によれば、１本のアンカー３から２本の主索ケーブル４を下端側が離れるようＶの字状に垂れ下げ、その２本の主索ケーブル４の下端を隣り合う雪崩防止柵10各々の内側に連結したことにより、アンカー３の本数は設置する雪崩防止柵10の数より１本だけ多いことになるから、一基当りの雪崩防止柵10に必要なアンカー３の本数を減ずることができる。
【００１５】
また、一基の雪崩防止柵10は離れた位置の２本のアンカー３と主索ケーブル４に両端側を支持されるから、雪崩防止柵10に偏荷重が加わっても回るように移動することなく、安定して雪崩防止柵10を支持できる。
【図面の簡単な説明】
【００１６】
【図１】図１は雪崩防止柵の実施例１を示す断面図である。
【図２】図２は図１のＡ−矢視図である
【図３】図３は図１のＢ−矢視図である。
【図４】図４は図１の要部を示す部分拡大図である。
【図５】図５は雪崩防止柵の従来技術を示す図である。
【図６】図６は雪崩防止柵の別な従来技術を示す図である。
【考案を実施するための形態】
【００１７】
雪崩防止柵10に偏荷重が加わっても回るように移動することなく安定していて、一基当りの雪崩防止柵10に必要なアンカー３の本数を減じた、雪崩防止柵を提供するという目的を、１本のアンカー３から２本の主索ケーブル４を下端側が離れるようＶの字状に垂れ下げ、その２本の主索ケーブル４の下端を隣り合う雪崩防止柵10各々の内側に連結したことにより実現した。
【実施例１】
【００１８】
図１から図４は、本考案の実施例１に係る雪崩防止柵10である。
【００１９】
この雪崩防止柵10は、道路の上方に傾斜した法面１の上方のほぼ平らな小段２に打設される複数本のアンカー３と、傾斜した法面１に設置される複数の雪崩防止柵10を主索ケーブル４で連結した吊式のものである。
【００２０】
雪崩防止柵10には、左右一対の立設した角鋼管製の支柱11と、各々の支柱の下端に取り付け法面１に接する鋼板のベースプレート12と、支柱11とベースプレート12を斜めに連結するサポート13と、左右一対の支柱11の山側の間に渡り角鋼管を矩形に組んだ枠材14と、枠材14の山側の面の全面に張った溶接金網15を設ける。
【００２１】
この溶接金網15により雪崩を受け止めるが、鋼管ではなく溶接金網15としたのは粉雪状の雪崩がすり抜けるのを防ぐためである。実施例では、枠材14の高さを約０．５ｍ、枠材14の幅を約３ｍとし、支柱11の間隔を約２ｍとした。
【００２２】
一列状に列設される複数の雪崩防止柵10の間の上方にアンカー３が位置し、１本のアンカー３から直接２本の主索ケーブル４を下端側が離れるようＶの字状に垂れ下げ、主索ケーブル４の下端に支持ロープ５を連結する。支持ロープ５はＶの字状に上下に別れ、支柱11の上下に連結される。
【００２３】
１本のアンカー３からの２本の主索ケーブル４の下端の支持ロープ５を隣り合う雪崩防止柵10各々の内側に連結する。つまり、一基の雪崩防止柵10から見ると、右側の支柱11からは右側のアンカー３へ、左側の支柱11からは左側のアンカー３へ主索ケーブル４が連結され、吊り下げられる。
【００２４】
なお、列設される複数の雪崩防止柵10の両端部のアンカー３からは、１本の主索ケーブル４が垂れ下げられる。
【００２５】
このことにより、アンカー３の本数は設置する雪崩防止柵10の数より１本だけ多いことになるから、一基当りの雪崩防止柵10に必要なアンカー３の本数を減ずることになる。
【００２６】
以上の実施例では、複数の雪崩防止柵10を一列状に列設した例を示したが、隣り合う雪崩防止柵10が交互に上下に位置するようにしても良い。
【００２７】
また、１本のアンカー３から直接２本の主索ケーブル４を垂れ下げた例を示したが、アンカーから途中までは一本の主索ケーブルで途中から下に２本の主索ケーブルを垂れ下げるようにしても良い。
【００２８】
また、雪崩防止柵10として枠材14に溶接金網15を張った例を示したが、水平方向の鋼管を上下に並べるようにしても良い。
【符号の説明】
【００２９】
１  法面
３  アンカー
４  主索ケーブル
10  雪崩防止柵
【図１】
0003172245.tif 000003
【図２】
0003172245.tif 000004
【図３】
0003172245.tif 000005
【図４】
0003172245.tif 000006
【図５】
0003172245.tif 000007
【図６】
0003172245.tif 000008